(57)【要約】【課題】ビデオアルバムを簡単に作成できるようにするプログラムおよびそのコンピュータ読み取り可能な記録媒体、並びにその装置を目的とするものである。【解決手段】撮影手段２を制御する撮影制御手段、撮影手段２によるビデオ映像を表示手段３に表示させる表示制御手段、操作手段４を制御する操作制御手段、一人当たりの最大録画時間を設定する設定制御手段、最大録画時間内において録画の開始・停止操作により作動されるオンオフ制御手段、最大録画時間を超えると録画を止める自動停止制御手段、ビデオ記録データを保存手段６の取外し自在なメディアに書き込むメディア書込み制御手段としてコンピュータを機能させるものである。【選択図】      図１
2004159128.tif 000002
【特許請求の範囲】
【請求項１】
ビデオアルバムを作成するためにコンピュータを、対象者を撮影する撮影手段を制御する撮影制御手段、撮影手段によるビデオ映像を表示手段に表示させる表示制御手段、操作手段による操作を制御する操作制御手段、一人当たりの最大録画時間の設定制御手段、設定された一人当たりの最大録画時間内において各対象者の操作手段による録画の開始・停止操作により作動されるオンオフ制御手段、最大録画時間を超えると自動的に録画を停止させる自動停止制御手段、全対象者のビデオ記録完了後に多数のビデオ記録データと該ビデオ記録データの再生手段とを保存手段の取外し自在なメディアに書き込むメディア書込み制御手段として機能させるためのビデオアルバム作成プログラム。
【請求項２】
ビデオアルバムを作成するためにコンピュータを、対象者を撮影する撮影手段を制御する撮影制御手段、撮影手段によるビデオ映像を表示手段に表示させる表示制御手段、操作手段による操作を制御する操作制御手段、一人当たりの最大録画時間の設定制御手段、設定された一人当たりの最大録画時間内において各対象者の操作手段による録画の開始・停止操作により作動されるオンオフ制御手段、最大録画時間を超えると自動的に録画を停止させる自動停止制御手段、全対象者のビデオ記録完了後に多数のビデオ記録データと該ビデオ記録データの再生手段とを保存手段の取外し自在なメディアに書き込むメディア書込み制御手段として機能させるためのビデオアルバム作成プログラムを記録したコンピュータ読み取り可能な記録媒体。
【請求項３】
ビデオアルバムを作成するためにコンピュータを、対象者を撮影する撮影手段を制御する撮影制御手段、撮影手段によるビデオ映像を表示手段に表示させる表示制御手段、操作手段による操作を制御する操作制御手段、一人当たりの最大録画時間の設定制御手段、設定された一人当たりの最大録画時間内において各対象者の操作手段による録画の開始・停止操作により作動されるオンオフ制御手段、最大録画時間を超えると自動的に録画を停止させる自動停止制御手段、全対象者のビデオ記録完了後に多数のビデオ記録データと該ビデオ記録データの再生手段とを保存手段の取外し自在なメディアに書き込むメディア書込み制御手段として機能させるためのビデオアルバム作成装置。
【請求項４】
操作手段がボタン式コントローラまたはキーボードまたはタッチパネルである請求項３に記載のビデオアルバム作成装置。
【請求項５】
コンピュータの作動モードを切り替える人体検知手段が設けられる請求項３または４に記載のビデオアルバム作成装置。
【発明の詳細な説明】
【０００１】
【発明の属する技術分野】
本発明はビデオアルバム作成プログラムおよび当該ビデオアルバム作成プログラムを記録したコンピュータ読み取り可能な記録媒体、並びにビデオアルバム作成装置に関するものである。
【０００２】
【従来の技術】
従来、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔａｂｌｅ）やＤＶＤ―ＲＡＭ（Ｄｉｇｉｔａｌ  Ｖｅｒｓａｔｉｌｅ  Ｄｉｓｃ−Ｒａｎｄａｍ  Ａｃｃｅｓｓ  Ｍｅｍｏｒｙ）、ＤＶＤ−Ｒ（Ｄｉｇｉｔａｌ  Ｖｅｒｓａｔｉｌｅ  Ｄｉｓｃ−Ｒｅｃｏｒｄａｂｌｅ），ＤＶＤ−ＲＷ（Ｄｉｇｉｔａｌ  Ｖｅｒｓａｔｉｌｅ  Ｄｉｓｃ−Ｒｅｗｒｉｔａｂｌｅ）等の取外し自在なメディアに記録保存したビデオアルバムを作成するには、記録する対象者をビデオカメラで撮影してビデオテープに記録したうえ、該ビデオテープに記録された映像データをビデオ・キャプチャー（Ｖｉｄｅｏ  Ｃａｐｔｕｒｅ）を介してデジタル化してパソコン（Ｐｅｒｓｏｎａｌ  Ｃｏｍｐｕｔｅｒ）のＨＤＤ（Ｈａｒｄ  Ｄｉｓｋ  Ｄｒｉｖｅ）に保存する。そして映像データを編集加工したり、無編集でパソコンに内部接続または外部接続されているＣＤ−Ｒ、ＣＤ−ＲＷやＤＶＤ―ＲＡＭ、ＤＶＤ−Ｒ，ＤＶＤ−ＲＷ等により取外し自在なメディア（書き換え可能型や追記型の光ディスク、光磁気ディスク）に記録保存してビデオアルバムとしたり、パソコンに接続されるディジタルビデオカメラで対象者を撮影し、ＨＤＤに保存したうえＨＤＤ上の映像データを編集加工したり、無編集でパソコンに内部接続または外部接続されているＣＤ−Ｒ、ＣＤ−ＲＷやＤＶＤ―ＲＡＭ、ＤＶＤ−Ｒ，ＤＶＤ−ＲＷ等により取外し自在なメディアに保存しビデオアルバムとするのが普通であった。ところが撮影操作、撮影後の編集操作、あるいはメディアへの記録操作はパソコンに慣れた人でも煩雑で時間がかかるという問題があるうえに、パソコンに不慣れな人にとっては煩雑で難しくビデオアルバム化することは不可能に近かった。しかも作成したビデオアルバムをプレゼントした場合、ビデオアルバムを受け取った人は自分のパソコンにインストールされている汎用の再生ソフトで再生することとなるが、汎用の再生ソフトではバージョンによる違いにより再生がうまくいかなくなることが生じるという問題があった。そこで誰でもが簡単にビデオアルバムを作成し、かつ再生することができる方法や装置の開発が要望されていた。従来、ビデオアルバムのように間歇的にビデオ撮影をするものがある（例えば、特許文献１）。
【０００３】
【特許文献１】特開平２００２−５１３０４号公報
【０００４】
【発明が解決しようとする課題】
本発明はビデオアルバムを簡単に作成できるようにするビデオアルバム作成プログラムおよび当該ビデオアルバム作成プログラムを記録したコンピュータ読み取り可能な記録媒体、並びにビデオアルバム作成装置を提供することを目的とするものである。
【０００５】
【課題を解決するための手段】
前述の目的を達成するために本発明は、ビデオアルバムを作成するためにコンピュータを、対象者を撮影する撮影手段を制御する撮影制御手段、撮影手段によるビデオ映像を表示手段に表示させる表示制御手段、操作手段による操作を制御する操作制御手段、一人当たりの最大録画時間の設定制御手段、設定された一人当たりの最大録画時間内において各対象者の操作手段による録画の開始・停止操作により作動されるオンオフ制御手段、最大録画時間を超えると自動的に録画を停止させる自動停止制御手段、全対象者のビデオ記録完了後に多数のビデオ記録データと該ビデオ記録データの再生手段とを保存手段の取外し自在なメディアに書き込むメディア書込み制御手段として機能させるためのビデオアルバム作成プログラムおよび当該ビデオアルバム作成プログラムを記録したコンピュータ読み取り可能な記録媒体、並びにビデオアルバム作成装置とからなる発明であり、ビデオアルバム作成装置において、操作手段がボタン式コントローラまたはキーボードまたはタッチパネルとされる発明と、コンピュータの作動モードを切り替える人体検知手段が設けられた発明とするものである。
【０００６】
【発明の実施の形態】
次に、結婚披露宴会場等に設置される本発明の好ましい実施の形態を図１、２、３、５、６、７、８、９に基いて詳細に説明する。
図１中、１は装置本体であり、該装置本体１の上部には撮影手段２の外付け用のマイクロホン２ｂとビデオカメラ２ａが取り付けられるとともに、装置本体１の傾斜前面には撮影手段２による映像を対象者自身がモニターしたりビデオを再生表示する表示手段３としての液晶またはＣＲＴ等のディスプレイ３ａおよび対象者が装置を操作できるようにするための操作手段４としてのワイヤまたはワイヤレスのボタン式コントローラ４ａが取り付けられている。また表示手段３をタッチパネル（メニュー画面等が表示されているディスプレイに指で触ることによりメニュー画面上のボタン等をポインティングできるようにした装置）とすれば、タッチパネルのメニュー画面に表示されるボタン等を手でクリックすることによりコンピュータ５を操作することができるので、操作手段４としてのボタン式コントローラ４ａは不要となることは勿論である。また操作手段４は前記の各方式の他、操作用の複数の押しボタンを装置本体１の前面に設けたものとしたりキーボードとしてもよく、ビデオカメラ２ａはアナログ式でもディジタル式でもよいが、アナログ式の場合にはビデオキャプチャが必要となることは勿論である。
【０００７】
前記マイクロホン２ｂは図１に示されるように装置本体１に直接に取り付けるものの他、ワイヤレスやワイヤ等の手持ちのマイクロホン２ｂとしてもよく、さらにマイクロホン２ｂとボタン式コントローラ４ａを一体化して操作性を高めたものとしてもよいことは勿論である。またボタン式コントローラ４ａは録画、再生、停止、登録等の操作ボタンを設けたものとしているが、市販のジョイパッド等を用いてもよいことは勿論である。
【０００８】
また装置本体１内には撮影手段２、表示手段３、操作手段４とに接続されるコンピュータ５としてのパソコンが内蔵されるとともに取外し自在なメディアにビデオ映像データを記録する保存手段６としてのＣＤ−Ｒ、ＣＤ−ＲＷやＤＶＤ―ＲＡＭ、ＤＶＤ−Ｒ、ＤＶＤ−ＲＷあるいはマルチメディア対応のレコーダー６ａが取り出し口を外部に臨ませて内蔵されている。また前記コンピュータ５としてのパソコンには記憶装置としてのメモリおよびＨＤＤが設けられていることはいうまでもない。
【０００９】
さらに装置本体１には撮影手段２としてのビデオカメラ２ａを取り付けるための雲台１ａが設けられている。この雲台１ａにより撮影手段２は撮影方向を自由に設定することができるようになっている。この雲台１ａは手動式として対象者が自由に設定できるようにしているが、電動雲台としてもよいことは勿論である。
【００１０】
また装置本体１の前面左右には撮影したビデオを対象者が再生確認する際、メッセージ音声を聞くことができるようにスピーカー１ｂ、１ｂが取り付けられている。また再生時のビデオ映像は表示手段３のディスプレイ３ａにより映し出されるものである。そして環境設定メニュー画面でビデオ録画時や再生時のボリュームを調整することができるボリュームコントロールが設けられている。
【００１１】
さらにコンピュータ５としてのパソコンには、図２に示されるように、対象者を撮影する撮影手段２を制御する撮影制御手段と、撮影手段２によるビデオ映像を表示手段３に表示させる表示制御手段と、録画の開始・停止操作およびビデオ記録データの削除等を対象者自身が行なう操作手段４を制御する操作制御手段と、一人当たりの最大録画時間を設定する設定制御手段と、該設定制御手段により設定された一人当たりの最大録画時間内において各対象者が操作手段４による録画の開始・停止操作により作動される作業ファイルへの書き込みをオンオフするオンオフ制御手段と、最大録画時間を超えると対象者が録画停止操作を行なくとも自動的に録画を停止（オフ）させる自動停止制御手段と、作業ファイルのビデオ記録を保存ファイルへの書き込みを行なわせる登録制御手段と、メッセージビデオを希望した全対象者のビデオ記録完了後に多数のビデオ記録データと該ビデオ記録データの再生機能とを保存手段６の取外し自在なメディアに書き込むメディア書込み制御手段のプログラムがインストールされており、前記コンピュータ５は前記各プログラムにより機能されるものである。前記したビデオ記録データの再生機能とはメディアに保存されたビデオ記録データを他のパソコン等で再生表示させるプログラムをいう。
【００１２】
またビデオ記録はＡＶＩ（Ａｕｄｉｏ  Ｖｉｄｅｏ  Ｉｎｔｅｒｌｅａｖｅ）や該ＡＶＩより圧縮率の高いＭＰＥＧ（Ｍｏｖｉｎｇ  Ｐｉｃｔｕｒｅ  Ｅｘｐｅｒｔｓ  Ｇｒｏｕｐ）等により記録されるものである。ＭＰＥＧを用いてビデオ記録を行なえばメディア容量が同じでもＡＶＩより約１０倍長い録画時間を得ることができる。さらにビデオアルバム作成は図３に示されるフローチャートに従って行なわれる。また前記した一人当たりの最大録画時間は結婚披露宴に出席する過去データの最大出席者数より若干余裕をもたせた出席者数を想定し、該想定出席者数でメディア容量を割ることにより算出するものとしている。
【００１３】
このように構成されたものは、先ず、管理者は図５に示されるように表示手段３に示される文字盤式の入力画面を用いてタイトル作成を行なう。さらにタイトル作成のメニュー画面において新郎側家名、新婦側家名を入力し、両家名を作成する。好ましい実施の形態においてはビデオ解像度を２４０×３２０ピクセルとし、フレーム数を１秒当たり１５フレームとしてＭＰＥＧによるビデオ記録を行なうとともに最大録画時間を３０秒に設定し、メディアをＣＤ−Ｒとしているので、図６に示されるような環境設定画面に表示されるように最大１５０人分のビデオ記録が保存できるものとしているが、メディアをＤＶＤ―ＲＡＭ、ＤＶＤ−Ｒ、ＤＶＤ−ＲＷとすれば、ビデオ解像度を２４０×３２０ピクセル以上、１５０人以上または３０秒以上のビデオアルバムの記録が可能となることはいうまでもない。
【００１４】
このようにして設定が完了して電源を入れた状態では表示手段３には図７に示されるような画面が表示され、中央には撮影手段２により撮影された映像が映し出されることとなる。そして披露宴の出席者（対象者）がビデオメッセージを花嫁または花婿に送りたい場合は、装置本体１の前方に立てば、撮影手段２により出席者（対象者）が撮影されて表示手段３の中央部分に出席者（対象者）が写し出されることとなる。このとき対象者の顔が切れたりするときには雲台１ａを操作して顔が確実に映し出されるようにする。
【００１５】
そして出席者（対象者）がビデオメッセージを取り込みたいと思った時には、操作手段４としてのボタン式コントローラ４ａの録画ボタンを押せばコンピュータ５はオンオフ制御手段により録画開始を実行して作業ファイルへビデオ記録データの書き込みを行なうこととなるので、出席者（対象者）がお祝いの言葉等を述べれば出席者のビデオメッセージはＨＤＤの作業ファイルに書き込まれることとなる。ビデオメッセージが終わって作業ファイルへの書き込みを停止させたい場合は操作手段４としてのボタン式コントローラ４ａの停止ボタンを押せばオンオフ制御手段により録画停止が実行され作業ファイルへの書き込みは停止されることとなる。もし出席者（対象者）が録画停止ボタンを押す前に一人当たりの最大録画時間を超えた場合は、自動停止制御手段によりコンピュータ５は作業ファイルへの書き込みを強制的に停止することとなる。
【００１６】
このようにして録画が停止されると、録画したビデオ映像が自動再生され図７に示されるように表示手段３に表示されるので、メッセージ内容を確認すればよい。確認する必要がない場合は、ボタン式コントローラ４ａの停止ボタンを押してボタン式コントローラ４ａの登録ボタンを押せばビデオ記録データの登録（ファイル名が付された保存ファイルとなる）が行なわれる。メッセージ内容に問題があれば、登録処理を行なわず録画ボタンを再び押してビデオメッセージを撮り直せばよい。登録処理を行なわない場合は前データ上に上書きするようにすればＨＤＤの記録領域を無駄に消費することがない。
【００１７】
このようにしてファイル名が付された保存ファイルにビデオ記録データが保存されて、ビデオメッセージを送りたい出席者（対象者）の録画がすべて完了したら、管理者はビデオメッセージの焼付けを行なうこととなる。これは図９に示されるようなサムネイルが表示されるメニュー画面により行なうことなる。このときサムネイルのイメージをクリックすることにより図８に示されるプレビュー画面でメッセージの再生表示が行なわれるので、間違って録画されたビデオ映像や削除要望のあったものを保存ファイルから削除して残されたビデオ映像を取外し自在なメディアに焼付ける。この焼付けは選択された全てのビデオ記録データの他該ビデオ記録データを再生する再生機能（プログラム）を含めて保存手段６により行なわれるものである。このようにして取外し自在なメディアにビデオ記録データと再生プログラムは焼付けられてビデオアルバムは完成することとなる。そして新郎新婦等に手渡された取外し自在なメディアはパソコンのＣＤ−ＲＯＭあるいはＤＶＤ−ＲＯＭに入れることにより取外し自在なメディアに組み込まれている再生機能（再生プログラム）によりビデオ映像は再生されることとなる。
【００１８】
また図４に示されるものは、装置本体１をイーゼルスタンドタイプのディスプレイボードとしたものであり、披露宴会場に設置したり式場の受付等に設置するものとしている。装置本体１は前記と同様撮影手段２としてのビデオカメラ２ａと表示手段３として液晶等のディスプレイ３ａ、操作手段４としてのボタン式コントローラ４ａ、手持ち式マイクロホン２ｂが取り付けられるとともに、装置本体１内には撮影手段２、表示手段３、操作手段４とに接続されるコンピュータ５としてのパソコンが内蔵されるとともに取外し自在なメディアにビデオ記録データを保存する保存手段６としてのＣＤ−Ｒ、ＣＤ−ＲＷやＤＶＤ―ＲＡＭ、ＤＶＤ−Ｒ、ＤＶＤ−ＲＷあるいはマルチメディア対応のレコーダー６ａが取り出し口を外部に臨ませて内蔵される他、コンピュータの作動モードを切り替える人体検知センサ１０を設けたものとして、出席者が近くを通ったらそれを検知して作動し、新郎新婦がビデオメッセージを御願いするビデオ映像を流すとともにビデオ録画状態に移行できるようにすることにより、出席者による操作量を減らして簡単にビデオメッセージの録画が可能となる。また非使用時には受付などに設置してＨＤＤに記録された式場のＣＭ等を流すものとする。また前記操作手段４はボタン式コントローラ４ａとボード上に設けた操作ボタンとがあり、使用状況に応じていずれか使用すればよいようになっているものである。さらに表示手段３以外のボード部分はコルクボードに形成されていてポスター８等が貼り付けられるようになっている。前記したように前面をポスター８が貼り付けられるコルクボードとした点と人体検知センサ１０を設けて機能を拡張した以外は前述のビデオアルバム作成装置と構成および作用効果も同じであるため詳細な説明は省略する。
【００１９】
なお、前記好ましい実施の形態では結婚式披露宴会場に置かれる一体型の装置としているが、撮影手段としてのビデオカメラとコンピュータとしてのパソコン、書込み手段としてのメディア記録装置等を別々のものとしても個人の所有する機器でビデオアルバム（ビデオ日記等）を作成するものとしてもよいことは勿論である。また前記好ましい実施の形態では最大録画時間を予め設定したものとしているが、メディア容量、ビデオ映像の圧縮率、出席者の人数に基づいて最大録画時間を適宜変更するものとしてもよいことは勿論である。さらに前記好ましい実施の形態では結婚式披露宴会場に置かれて新郎新婦等に手渡すものとしているが、幼稚園や学校等における卒園ビデオアルバムや卒業ビデオアルバムあるいは家族における育児ビデオ日記等のビデオアルバムを作成するものとしてもよいことは勿論であり、この場合はメニュー画面に一部が若干異なることはいうまでもない。
【００２０】
【発明の効果】
本発明は前記説明によって明らかなように、ビデオアルバムを作成するためにコンピュータを、対象者を撮影する撮影手段を制御する撮影制御手段、撮影手段によるビデオ映像を表示手段に表示させる表示制御手段、操作手段による操作を制御する操作制御手段、一人当たりの最大録画時間の設定制御手段、設定された一人当たりの最大録画時間内において各対象者の操作手段による録画の開始・停止操作により作動されるオンオフ制御手段、最大録画時間を超えると自動的に録画を停止させる自動停止制御手段、全対象者のビデオ記録完了後に多数のビデオ記録データと該ビデオ記録データの再生手段とを保存手段の取外し自在なメディアに書き込むメディア書込み制御手段として機能させることにより、パソコン操作に不慣れなものでも簡単にビデオアルバムを作成できるうえに、取外し自在なメディアには再生手段が書込まれているのでＣＤ−ＲＯＭ等のドライブが付帯されていればパソコンの使い方に不慣れな人や旧式のパソコンでもビデオアルバムを確実に再生することができる。また結婚式場や幼稚園あるいは学校等に設置すれば結婚式に出席した人のビデオメッセージや卒園式、卒業式に手渡される卒園アルバムや卒業アルバムに変わるものとすることができる。
【００２１】
請求項４のように、操作手段がボタン式コントローラまたはキーボードまたはタッチパネルとすることにより使用する人のコンピュータ操作技術能力がばらつく結婚式場や操作技術が未熟な幼稚園等の使用分野ではタッチパネルを用い、パソコンの操作に習熟したユーザが個人的に使う場合や高学年の生徒が使う場合には安価なキーボードを選択することができる等組み合わせを自由に設定することができる。
請求項５のように、コンピュータの作動モードを切り替える人体検知手段が設けられることにより、少ない操作で録画状態に移行できるので誰でもが簡単にビデオメッセージを録画することが可能となり、使い勝手が大幅に向上することとなる等種々の利点を有するものである。
従って、本発明は従来の問題点を解消したビデオアルバム作成プログラムおよび当該ビデオアルバム作成プログラムを記録したコンピュータ読み取り可能な記録媒体、並びにビデオアルバム作成装置として業界の発展に寄与するところ大なものである。
【図面の簡単な説明】
【図１】本発明の好ましい実施の形態に用いられる装置の斜視図である。
【図２】本発明の好ましい実施の形態を示すブロック図である。
【図３】本発明の好ましい実施の形態におけるフローチャートである。
【図４】本発明の他の好ましい実施の形態を示す斜視図である。
【図５】本発明の好ましい実施の形態におけるタイトル作成時のメニュー画面である。
【図６】本発明の好ましい実施の形態における環境設定時のメニュー画面である。
【図７】本発明の好ましい実施の形態における自動再生時のメニュー画面である。
【図８】本発明の好ましい実施の形態におけるプレビュー時のメニュー画面である。
【図９】本発明の好ましい実施の形態における焼付けを行なうサムネイル表示時のメニュー画面である。
【符号の説明】
２  撮影手段
３  表示手段
４  操作手段
６  保存手段
１０  人体検知センサ
【図１】
2004159128.tif 000003
【図２】
2004159128.tif 000004
【図３】
2004159128.tif 000005
【図４】
2004159128.tif 000006
【図５】
2004159128.tif 000007
【図６】
2004159128.tif 000008
【図７】
2004159128.tif 000009
【図８】
2004159128.tif 000010
【図９】
2004159128.tif 000011